(57)【要約】【課題】  軒樋を切断する際、切断中に軒樋切断治具の弛みやがたつきがなく、且つ軒樋を正確に軒樋の長さ方向と直角方向に切断でき、しかも切断後に軒樋からの取り外しが容易な軒樋切断治具を提供する。【解決手段】  軒樋切断治具の軒樋接触面が軒樋の外周面と略同じ形状で僅かに小さくされており、軒樋切断治具の本体部に、その底部から両側の側端部にかけて、軒樋の長さ方向に直交する方向に鋸刃が挿入されるスリットが設けられ、該スリットの奥部位置が軒樋の耳部を切断可能な位置となるようにされ、軒樋切断治具の両側端部に、該軒樋切断治具を軒樋の耳部に係止する一組の爪が設けられ、該一組の爪は、軒樋の前耳側を固定する第１の爪と、軒樋の後耳側を固定する第２の爪とからなり、該第１の爪と第２の爪とは、スリットに対して互いに異なる側に設けられている。【選択図】  図１
2005349539.tif 000002
【特許請求の範囲】
【請求項１】
耳部を有する軒樋を長さ方向と直角に切断するときに用いられる軒樋切断治具であって、該軒樋切断治具の軒樋接触面が軒樋の外周面と略同じ形状で僅かに小さくされており、軒樋切断治具の本体部に、その底部から両側の側端部にかけて、軒樋の長さ方向に直交する方向に鋸刃が挿入されるスリットが設けられ、該スリットの奥部位置が軒樋の耳部を切断可能な位置となるようにされ、軒樋切断治具の両側端部に該軒樋切断治具を軒樋の耳部に係止する一組の爪が設けられ、該一組の爪は、軒樋の前耳側を固定する第１の爪と、軒樋の後耳側を固定する第２の爪とからなり、該第１の爪と第２の爪とは、スリットに対して互いに異なる側に設けられていることを特徴とする軒樋切断治具。
【発明の詳細な説明】
【技術分野】
【０００１】
本発明は、鋸等を用いて手挽きで軒樋を長手方向と直角に切断する際に用いられる、軒樋切断治具に関するものである。
【背景技術】
【０００２】
屋根の軒先に設けられる軒樋は、必要に応じて、施工現場で所定の長さに切断される。切断方法としては、最も一般的には、例えば軒樋の外表面に切断線を描き、この切断線に沿って金鋏、金鋸あるいは電動丸鋸等を用いて切断されている。
【０００３】
しかしながら、上記の方法では、切断面がずれて軒樋の長さ方向と直角とならなくなることが起こる。このような斜め切りになった切断面は、接続時に、その切断面を突き合わせた場合に隙間ができ、例えば、外継手であれば、継ぎ箇所に段差ができて雨水等がスムースに流れ難かったりゴミ等が詰まり易く、また内継手で接続する場合などでは、下方から見上げた場合に外観の見栄えが悪くなるという問題点がある。
【０００４】
このような問題点に対し、両方の上端部に耳部を有する軒樋の切断に使用する軒樋切断治具であって、前記耳部に係止する係止部を有することにより、前記軒樋の外面に嵌着自在である軒樋切断治具の本体を前記軒樋の外形と略同一形状に形成する一方、前記軒樋切断治具の本体における前記軒樋の長手方向の測端部に、前記軒樋部の嵌着時に前記軒樋の長手方向に対して直交する立設片を形成し、該立設片の端縁を切断用ガイド部とする軒樋切断治具が知られている（例えば、引用文献１参照。）。
【０００５】
この軒樋切断治具は、係止部によって、該軒樋切断治具の測端部に設けられる立設片のガイド面を、軒樋の長手方向に対して直交する姿勢が保てるように軒樋の耳部と係止されるので、軒樋を、ガイド面に沿って鋸等で切断することで、軒樋を長手方向に対し直交する方向に切断することができるものである。
【０００６】
しかしながら、上記軒樋切断治具を用いて軒樋を切断する場合は、軒樋切断治具の側端部に設けられるガイド部の側面に鋸等を押し当てて、例えば金鋸等では鋸を押し引きして切断することになる。従って、軒樋切断治具は、切断中は側面から脈動的に圧力を受け続けることになり、係止が緩んで切断面が直線形状とならなくなるおそれがある。これを防止するためには、例えば係止部を大きくして強く係止するようにしたり、軒樋切断治具の本体の形状を前記軒樋の外形と略同一形状で小さく形成して嵌着時の遊びを少なくしたりすれば良い。反面、軒樋を切断後、軒樋切断治具を脱着する場合に、嵌着が強すぎて外し難くかったり、無理に外すとはずみで軒樋切断治具等が軒樋にぶつかったり、或いは摺動することで軒樋の表面に擦り傷が付き易いという問題点がある。
【０００７】
又、軒樋の外側に嵌合する軒樋継手と略同じ断面形状を有した軒樋切断治具であって、軒樋の長手方向に直交する方向にスリットもしくは凹溝が設けられていることを特徴とする軒樋の軒樋切断治具が知られている（例えば、特許文献２参照。）。
【０００８】
この軒樋切断治具においては、軒樋両端部のそれぞれの耳部を覆うように把持する耳把持部が設けられており、この把持部が軒樋の耳部に嵌合し軒樋切断治具が軒樋に固定される。
【０００９】
しかしながら、この軒樋切断治具においても、軒樋を切断する場合は、スリットもしくは凹溝の一方の側面に鋸等を押し当てて、例えば金鋸等では鋸を押し引きして切断することになる。従って、切断中は、軒樋切断治具には脈動的に圧力が掛かり続けることになり、係止が緩んで切断面が直線形状とならなくなるおそれがある。これを防止するためには、例えば把持部を大きくして強く係止するようにしたり、軒樋切断治具の本体の形状を前記軒樋の外形と略同一形状で小さく形成して嵌着時の遊びを少なくしたりすれば良い。反面、軒樋を切断後、軒樋切断治具を脱着する場合に、嵌着が強すぎて外し難くかったり、無理に外すとはずみで軒樋切断治具等が軒樋にぶつかったり、或いは摺動することで軒樋の表面に擦り傷が付き易いという問題点がある。
【特許文献１】特開２００３−３４０７５０号公報
【特許文献２】特開２００２−３０７３８１号公報
【発明の開示】
【発明が解決しようとする課題】
【００１０】
本発明は、軒樋を切断する際、切断中に軒樋切断治具の弛みやがたつきがなく、且つ軒樋を正確に軒樋の長さ方向と直角方向に切断でき、しかも切断後に軒樋からの取り外しが容易な軒樋切断治具を提供する目的で行われたものである。
【課題を解決するための手段】
【００１１】
上記課題を解決するための本発明の軒樋切断治具は、耳部を有する軒樋を長さ方向と直角に切断するときに用いられる軒樋切断治具であって、該軒樋切断治具の軒樋接触面が軒樋の外周面と略同じ形状で僅かに小さくされており、軒樋切断治具の本体部に、その底部から両側の側端部にかけて、軒樋の長さ方向に直交する方向に鋸刃が挿入されるスリットが設けられ、該スリットの奥部位置が軒樋の耳部を切断可能な位置となるようにされ、軒樋切断治具の両側端部に、該軒樋切断治具を軒樋の耳部に係止する一組の爪が設けられ、該一組の爪は、軒樋の前耳側を固定する第１の爪と、軒樋の後耳側を固定する第２の爪とからなり、該第１の爪と第２の爪とは、スリットに対して互いに異なる側に設けられていることを特徴とする。
【発明の効果】
【００１２】
本発明の軒樋切断治具は、軒樋接触面が軒樋の外周面と略同じ形状で僅かに小さくされている。従って、該軒樋切断治具を軒樋に装着した場合、軒樋切断治具は、軒樋と隙間なく密着する、従って、切断中に軒樋切断治具の弛みやがたつきがなく、且つ軒樋を正確に軒樋の長さ方向と直角に切断できる。
【００１３】
更に、該軒樋切断治具を上方又は下方から見た場合に、鋸刃が挿入されるスリットを挟んで片側二個所、合計四個所の軒樋切断治具の側端部の内、対角線に当たる２個所の側端部にのみ、軒樋の耳部に係止して把持する爪が設けられている。従って、切断後に爪のない側のそれぞれの軒樋を内側に押し込めば、軒樋切断治具を摺動させることなく捻るようにして容易に取り外すことができる。
【発明を実施するための最良の形態】
【００１４】
以下に、本発明の実施の形態を、図面を参照しながら説明する。図１は本発明の軒樋切断治具の一例の斜視図である。図２は図１の軒樋切断治具をスリット部で切断してＢ方向から見た断面図である。図３は図１の軒樋切断治具をスリット部で切断してＡ方向から見た断面図である。
【００１５】
本発明の軒樋切断治具２を用いて切断される軒樋１は、合成樹脂製、金属製のいずれでも良い。
【００１６】
軒樋切断治具２は、軒樋１の切断時に、その切断個所に、軒樋１の外側から被せられるようにして装着される。軒樋切断治具２の軒樋接触面は、軒樋１の外周面と略同じ形状で僅かに小さくされており、軒樋切断治具２を軒樋１に装着した時に、軒樋切断治具２は軒樋１と隙間なく密着するようにされている。軒樋切断治具２の両側端部２２１、２２２は、軒樋１の耳部１１１、１１２と係止してこれを把持する把持部２３１、２３２とされている。
【００１７】
軒樋切断治具２の両側端部２２１、２２２は、該軒樋切断治具２を軒樋１に装着した場合に、軒樋の耳部１１１、１１２よりも突出するように長くされている。軒樋切断治具２には、本体部２１の底部側から軒樋切断治具２の両側端部２２１、２２２にかけて、鋸刃が挿入されるスリット２４が、軒樋の耳部１１を切断可能な位置まで設けられている。スリット２４の左右の軒樋切断治具２の各片２０１、２０２は、該軒樋切断治具２の両側端部２２１、２２２のスリット２４が入っていない個所２２５、２２６で連結されていることになる。
【００１８】
軒樋切断治具２の両側端部２２１、２２２の把持部２３１、２３２は、軒樋の耳部１１１、１１２をその外側から包み込むように把持するものである。その把持部２３１、２３２の最先端部には、それぞれ軒樋１の耳部１１１、１１２に係止してこれを把持する第１の爪２５１と第２の爪２５２とが設けられる。
【００１９】
第１の爪２５１又は第２の爪２５２は、図２及び図３に示すように、鋸刃が挿入されるスリット２４を挟んで片側２個所、合計４個所（２２１、２２２、２２３、２２４）の軒樋切断治具２の側端部の内、対角線にあたる２個所の側端部（例えば２２１、２２４）に設けられている。
【００２０】
この軒樋切断治具２を用いて軒樋１を切断する手順は、先ず軒樋１の切断する個所の外面に、軒樋切断治具２のスリット２４がくるように押し当て、軒樋１の切断位置とスリット２４の位置とがずれないようにして、軒樋１と軒樋切断治具２を互いに押し込むようにして嵌め込む。
【００２１】
軒樋１の耳部１１、１１２が軒樋切断治具２の把持部２３１、２３２に嵌り込むようにして挿入され、更に第１の爪２５１と第２の爪２５２によって、耳部１１１、１１２が把持部２３１、２３２から外れないように且つ強固に係止して把持される。
【００２２】
この状態でスリット２４に鋸を挿入し、押し引きして軒樋１を切断する。軒樋切断に軒樋切断治具２は軒樋１に強固の密着しているので、切断が完了する迄は鋸刃の押し引きによって軒樋切断治具ががたついたりせず、確実に長手方向と直角に軒樋１を切断できる。
【００２３】
軒樋１が耳部１１１、１１２まで鋸刃で切断されたら鋸を取り外し、第１の爪２５１と第２の爪２５２の付いていない側の軒樋１の耳部１１１、１１２を指で軒樋１の内側方向に押す。切断された軒樋１の耳部１１１、１１２は、爪がないので容易に押されて、第１の爪２５１と第２の爪２５２のある側が互いに捻れるようにして外れて、軒樋切断治具２から取り外すことができる。従って、軒樋１の外表面に傷が付くことはない。
【図面の簡単な説明】
【００２４】
【図１】本発明の軒樋切断治具の一例の斜視図である。
【図２】図１の軒樋切断治具のスリット部をスリット部で切断してＢ方向から見た断面図である。
【図３】図１の軒樋切断治具のスリット部をスリット部で切断してＡ方向から見た断面図である。
【符号の説明】
【００２５】
１  軒樋
１１  軒樋の耳部
２  軒樋切断治具
２１  本体部
２２  側端部
２３  把持部
２４  スリット
２５  爪
２５１  第１の爪
２５２  第２の爪
【図１】
2005349539.tif 000003
【図２】
2005349539.tif 000004
【図３】
2005349539.tif 000005